(57)【要約】【課題】  印刷ジョブを保存、印刷可能な画像形成装置において、保存された印刷ジョブに対して印刷許可が与えられているユーザーが煩雑な操作なしに印刷することができる画像形成装置を提供すること。【解決手段】印刷ジョブ保存時、印刷ジョブを投入したユーザーをログインのためのユーザー情報として登録するとともに、印刷許可が与えられている他のユーザーもユーザー情報として登録する。そして、ログイン用のユーザー一覧画面に登録されたユーザー全てを表示し、ログインを可能にする。【選択図】  図１２
2016162165.tif 000002
【特許請求の範囲】
【請求項１】
画像形成装置であって、
印刷ジョブを保存する保存手段と、
前記印刷ジョブのユーザーの情報を登録する登録手段と、
ユーザーのログインを受け付けるために、登録されたユーザーの情報に基づきユーザーの一覧画面を表示する表示手段を有し、
前記登録手段は、さらに、前記印刷ジョブの印刷を許可するユーザーの情報を登録することを特徴とする画像形成装置。
【請求項２】
前記登録手段は、前記印刷ジョブに、前記印刷ジョブのユーザーでない任意のユーザーに対して印刷を許可することが設定されている場合、前記印刷ジョブの共有を示すユーザーの情報を登録することを特徴とする請求項１に記載の画像形成装置。
【請求項３】
前記登録手段は、前記印刷ジョブに、印刷を許可するユーザーを指名している場合、該ユーザーの情報を登録することを特徴とする請求項１に記載の画像形成装置。
【請求項４】
前記登録手段は、前記印刷ジョブに、印刷許可するユーザーのグループが設定されている場合、前記グループのメンバーのユーザー情報を登録することを特徴とする請求項１に記載の画像形成装置。
【請求項５】
前記登録手段は、設定されたグループのメンバーをユーザーDBから検索することにより特定することを特徴とする請求項４に記載の画像形成装置。
【請求項６】
前記保存手段は、前記印刷ジョブの書誌情報を、前記印刷ジョブのユーザーに紐づけて保存することを特徴とする請求項１〜５いずれか１項に記載の画像形成装置。
【請求項７】
前記表示手段は、前記ユーザーを示すボタンを一覧画面に表示することを特徴とする請求項１〜６いずれか１項に記載の画像形成装置。
【請求項８】
画像形成装置の制御方法であって、
印刷ジョブを記憶手段に保存する保存工程と、
前記印刷ジョブのユーザーの情報を登録する登録工程と、
ユーザーのログインを受け付けるために、登録されたユーザーの情報に基づきユーザーの一覧画面を表示する表示工程を有し、
前記登録工程は、さらに、前記印刷ジョブの印刷を許可するユーザーの情報を登録することを特徴とする画像形成装置の制御方法。
【請求項９】
コンピュータを、請求項１〜７のいずれか１項に記載された手段として機能させるためのプログラム。
【発明の詳細な説明】
【技術分野】
【０００１】
本発明は印刷ジョブを保存、印刷可能な画像形成装置に関する。
【背景技術】
【０００２】
近年、セキュリティを目的としてプリンタドライバから投入した印刷ジョブをすぐに出力せず、まず、一旦画像形成装置内のハードディスクに保存する画像形成装置がある。そして、ユーザーが画像形成装置の操作部からログインした後、保存した印刷ジョブの一覧を表示し、出力する画像形成装置がある。
【０００３】
通常、印刷ジョブの一覧にはログインしたユーザーが投入した印刷ジョブのみが表示されるが、印刷ジョブを投入したユーザー以外のユーザーがその印刷ジョブを参照し、印刷することができる画像形成装置がある。例えば、プリンタドライバで印刷ジョブを印刷許可するユーザーを設定して印刷ジョブを投入することで、印刷ジョブを投入したユーザー以外のユーザーがログインしてもその印刷ジョブを参照、印刷することができる。これにより、自分以外の他のユーザーに出力物を提供したい場合、自分が投入した印刷ジョブを自分自身で出力し、その出力物を他のユーザーに渡すという手間を省くことができる。
【０００４】
また、画像形成装置において、ログインをより簡単に行う方法として、投入された印刷ジョブのユーザー情報からユーザー一覧を表示し、選択されたユーザーの印刷ジョブ一覧を表示する画像形成装置がある（特許文献１参照）。
【先行技術文献】
【特許文献】
【０００５】
【特許文献１】特開2012−254618号公報
【発明の概要】
【発明が解決しようとする課題】
【０００６】
特許文献１では、印刷ジョブを投入したユーザーがユーザー一覧画面上に表示される。しかし、印刷ジョブを投入していないユーザーはユーザー一覧画面に表示されないため、ログインができず、印刷ジョブ一覧を表示することができない。
【０００７】
一方、プリンタドライバの設定を、印刷ジョブを投入したユーザーが、別のユーザーへの印刷許可を設定できるものとする。その場合においても、印刷許可を与えられたユーザーは、印刷ジョブ一覧を表示するためにログインする必要がある。しかし、この場合、印刷許可を与えられたユーザー自らが別の印刷ジョブを投入していないと、ユーザー一覧画面上に自身を表す表示がなされないため、ログインできず、印刷許可された印刷ジョブを印刷できないという問題が依然として発生する。
結局、印刷許可を与えられたユーザーは、印刷許可された印刷ジョブを印刷するために、わざわざ別の印刷ジョブを投入して、自身を表す表示をユーザー一覧画面上に表示することが必要となり、操作が煩雑となる。
【０００８】
そこで本発明は、印刷ジョブ投入ユーザーでなくても、投入された共有印刷ジョブを印刷許可されたユーザーであれば、ユーザー一覧に表示することにより、ログインが可能となり、煩雑な操作なしに印刷ジョブを実行することを目的とする。
【課題を解決するための手段】
【０００９】
上記課題を解決するために、本発明の画像形成装置は、印刷ジョブを保存する保存手段と、前記印刷ジョブのユーザーの情報を登録する登録手段と、ユーザーのログインを受け付けるために、登録されたユーザーの情報に基づきユーザーの一覧画面を表示する表示手段を有し、前記登録手段は、さらに、前記印刷ジョブの印刷を許可するユーザーの情報を登録することを特徴とする。
【発明の効果】
【００１０】
本発明によれば、印刷ジョブ投入ユーザーでなくても、投入された共有印刷ジョブを印刷許可されたユーザーであれば、ユーザー一覧に表示することにより、ログインが可能となり、煩雑な操作なしに印刷ジョブを実行することができる。
【図面の簡単な説明】
【００１１】
【図１】ネットワーク構成の一例を示す図
【図２】画像形成装置102の全体の構成を示すブロック図
【図３】画像形成装置102のシステムソフトウェアの機能構成図
【図４】ＰＣ101の全体の構成を示すブロック図
【図５】ＰＣ101のシステムソフトウェアの構成を示すブロック図
【図６】本発明における印刷ジョブの投入処理の一例を示すフローチャート
【図７】本発明における印刷ジョブの保存処理の一例を示すフローチャート
【図８】本発明における書誌情報テーブルの一例を示す図
【図９】本発明におけるユーザー登録処理の一例を示すフローチャート
【図１０】本発明におけるジョブ保持ユーザーテーブルの一例を示す図
【図１１】本発明におけるユーザー一覧表示処理の一例を示すフローチャート
【図１２】本発明におけるユーザー一覧画面の一例を示す図
【図１３】本発明におけるユーザー登録処理の他の例を示すフローチャート
【図１４】本発明におけるユーザー一覧画面の他の例を示す図
【発明を実施するための形態】
【００１２】
[実施例１]
以下、本発明を実施するため形態について図面を用いて説明する。本実施例では、投入された印刷ジョブが誰でも印刷可能である共有文書の設定が施されている場合のユーザー一覧表示方法について説明する。
【００１３】
図１は、ネットワーク構成の一例を示す図である。ＬＡＮ103には、印刷ジョブを投入するパーソナルコンピューター（ＰＣ）101と、投入された印刷ジョブを処理する画像形成装置102が接続される。接続されるＰＣ101及び画像形成装置102の数はこれに限定されるものではない。画像形成装置102は、ＰＣ101から各画像形成装置に投入された印刷ジョブデータと、印刷ジョブの情報である書誌情報とジョブを保持するユーザー情報を管理する。なお、本実施例では印刷ジョブの投入元をＰＣ101としているが、ＰＣ以外のデバイス（例えば、携帯端末や他の画像形成装置など）であっても構わない。
【００１４】
画像形成装置102は、管理しているジョブを保持するユーザー情報に基づいて、ログイン画面としてユーザー一覧画面を表示する。ユーザー一覧画面は、押下可能なボタンの形式でユーザー単位に表示される。ユーザー一覧画面はユーザーを識別し、選択可能な形式になっていれば、ボタンに限定されるものではない。
ユーザーは自身に相当するボタンを押下することでログインする。画像形成装置102は、ログインしたユーザーが投入した印刷ジョブの書誌情報を取得し、印刷ジョブ一覧画面を表示する。ユーザーはその中から所望の印刷ジョブを選択し、印刷指示を行う。画像形成装置102は、印刷指示された印刷ジョブデータを取得し印刷する。
【００１５】
図２は、画像形成装置102の全体の構成を示すブロック図である。画像形成装置102内のコントローラユニット201において、ＣＰＵ202はシステム全体を制御する演算装置である。ＲＡＭ203はＣＰＵ202が動作するためのシステムワークメモリであり、画像データを一時記憶するための画像メモリである。また、ＲＡＭ203はオペレーティングシステムやシステムソフトウェア、アプリケーションソフトウェアなどのプログラムやデータも配置される。
【００１６】
ＲＯＭ204はシステムのブートプログラムが格納されている。ハードディスクドライブ（ＨＤＤ）205はオペレーティングシステムやシステムソフトウェア、アプリケーションソフトウェア、画像データ、設定データなどを格納する。
操作部Ｉ/Ｆ206は操作部207とのインターフェース部であり、操作部207に表示する情報を操作部207に対して出力する。また、操作部207からユーザーが入力した情報を受け付ける。
ネットワークＩ/Ｆ208はネットワーク（ＬＡＮ）103に接続し、同一ＬＡＮ103上に接続されたＰＣや別の画像形成装置と情報の入出力を行う。
デバイスＩ/Ｆ209は画像入出力デバイスであるスキャナ210、プリンタ211とコントローラユニット201を接続し、画像データの入力や出力を行う。以上のデバイスがシステムバス212上に配置される。
【００１７】
図３は画像形成装置102のシステムソフトウェアの機能構成を示すブロック図である。システムソフトウェア301はＲＡＭ203、ＲＯＭ204、ＨＤＤ205のいずれかの記憶手段に記憶され、ＣＰＵ202により実行される。
UI制御部302はユーザーが操作部207によって入力した情報を操作部Ｉ/Ｆ206を経由して受信し、その情報を認証部303、データ管理部304、ジョブ管理部307に送信する。また反対に、認証部303、データ管理部304、ジョブ管理部307からの応答を受信し、その情報を操作部Ｉ/Ｆ206を経由して操作部207に出力する。
【００１８】
認証部303はUI制御部302から受信した認証情報に基づいて認証処理を行い、その結果を返す。
データ管理部304はUI制御部302、ネットワーク制御部306、ジョブ管理部307からのデータ書き込み、読み出し要求を受信し、記憶制御部305にデータ書き込み、読み出し要求を送信する。また反対に、記憶制御部305からの応答を受信し、その情報をUI制御部302、ネットワーク制御部306、ジョブ管理部307に送信する。
【００１９】
記憶制御部305はデータ管理部304からのデータ書き込み、読み出し要求を受信して、ＨＤＤ205に対してデータの書き込み、読み出しを行い、その結果をデータ管理部304に返す。
ネットワーク制御部306は、ＬＡＮ103上に接続されたＰＣ101や任意の画像形成装置からの要求を、ネットワークＩ/Ｆ208を経由して受信する。そして、受信した要求に応じてデータ管理部304、ジョブ管理部307に処理を要求する。また反対に、データ管理部304、ジョブ管理部307からの応答を受信する。そして、受信した応答をネットワークＩ/Ｆ208を経由してＬＡＮ103上に接続されたＰＣ101や任意の画像形成装置に送信する。
【００２０】
ジョブ管理部307はUI制御部302、ネットワーク制御部306からの印刷ジョブ実行要求を受信し、印刷ジョブの実行管理をする。そして、ジョブ制御部308に印刷ジョブ実行を要求する。また、データ管理部304にデータ書き込み、読み出し要求を送信し、反対に、データ管理部304、ジョブ制御部308からの応答を受信し、UI制御部302、ネットワーク制御部306に対して、印刷ジョブの状態の送信も行う。
ジョブ制御部308はジョブ管理部307からの印刷ジョブ実行要求を受信し、デバイスＩ/Ｆ209を経由してスキャナ210、プリンタ211の動作を制御する。また反対に、スキャナ210、プリンタ211の動作状態をデバイスＩ/Ｆ209を経由して受信し、ジョブ管理部307に送信する。
【００２１】
図４は、ＰＣ101の全体の構成を示すブロック図である。ＰＣ101において、ＣＰＵ401はシステム全体を制御する演算装置である。ＲＯＭ402は、各処理に関わるプログラムやデータが格納されている。ＲＡＭ403はＣＰＵが動作するためのシステムワークメモリであり、各処理に関わる一時的なデータを記憶する記憶メモリである。ハードディスクドライブ（ＨＤＤ）404は各処理に関わるプログラムやデータ、一時的なデータ、アプリケーションデータなどを格納する。
【００２２】
入力装置405は、本装置への指示入力を受け付けるキーボードやポインティングデバイスである。表示装置406は、本装置の動作状況や、本装置上で動作する各プログラムが出力する情報を表示する。ネットワークＩ/Ｆ407はネットワーク（ＬＡＮ）103に接続し、同一ＬＡＮ上に接続された他のＰＣや画像形成装置と情報の入出力を行う。以上の要素がシステムバス408上に配置される。 
なお、ＣＰＵ401が、ＨＤＤ404に記憶されているオペレーティングシステム（OS）やプリンタドライバ、アプリケーションに対応するプログラムに基づいて、処理を実行することにより、OSやプリンタドライバによる機能（又は処理）が実現される。  
【００２３】
図５は、ＰＣ101のシステムソフトウェアの構成を示すブロック図である。システムソフトウェア501はＲＯＭ402、ＲＡＭ403、ＨＤＤ404のいずれかの記憶手段に記憶され、ＣＰＵ401により実行される。 
システムソフトウェア501はアプリケーション502及びプリンタドライバ503から構成される。アプリケーション502は、例えばＰＣ101の表示装置406を見ながら、ポインティングデバイスやキーボードといった入力装置405を用いて、画像や文書を作成、編集するようなツールである。ユーザーはアプリケーション502を用いて画像や文書などのデータを作成し、プリンタドライバ503を用いて印刷命令データを作成し、画像形成装置102のような印刷可能な装置に送信する。
【００２４】
図６はＰＣ101のＣＰＵ401により実行される、印刷ジョブの投入処理を説明するフローチャートである。
ユーザーは表示装置406を見ながら、ポインティングデバイスやキーボードといった入力装置405を用いて、アプリケーション502で画像や文書などのデータを作成し、印刷を指示する。
[S601]  プリンタドライバは、画像や文書などのデータ、ユーザー名や文書名、などの文書属性、印刷許可するユーザーを識別するための印刷許可情報、印刷指示時にプリンタドライバに設定されている印刷設定情報に従ってPDLデータを作成する。
【００２５】
[S602]  そして画像形成装置102に印刷ジョブとして送信する。
印刷許可情報は特定のユーザーを設定しても構わないし、印刷許可するユーザーを特定しない「共有」のような設定であっても構わない。さらに、複数のユーザーに同じグループIDを紐づけることで、グループ管理を行い、グループIDを設定しても構わない。本実施例では前述の通り、「共有」が設定された印刷ジョブが送信されるものとする。
【００２６】
図７は画像形成装置102のＣＰＵ202により実行される、システムソフトウェア301における、印刷ジョブの保存処理を説明するフローチャートである。
[S701]  ネットワーク制御部306はＰＣ101からの印刷ジョブを受け付けると、ジョブ管理部307に印刷ジョブを送信する。
[S702]  ジョブ管理部307は印刷ジョブを受け取ると、画像形成装置102に印刷ジョブの保存設定があるか否かを判定する。印刷ジョブの保存設定は画像形成装置毎に設定され、記憶制御部305がＨＤＤ205、ＲＡＭ203等に記憶する。
−−印刷ジョブの保存設定がない場合は、S708に進む。
[S708]  ジョブ管理部307は、ジョブ制御部308に印刷ジョブの実行要求を行い、印刷を実行する。
−−印刷ジョブの保存設定がある場合は、S703に進む。
【００２７】
[S703]  ジョブ管理部307は、印刷ジョブを解析し、保存対象ジョブであるか否かを判定する。
保存対象ジョブとは、例えば、印刷ジョブ名、印刷ジョブユーザー名、印刷ジョブ実行ＰＣの識別情報など、印刷ジョブに付与された情報が、予め決められた条件に合致する場合に、保存対象ジョブとする。また逆に、前記条件に合致しない場合を、保存対象ジョブと設定してもよい。
【００２８】
−−保存対象ジョブでない場合、前記S708に進む。
−−保存対象ジョブである場合、S704に進む。
[S704]  ジョブ管理部307は、データ管理部304に印刷ジョブを送信する。データ管理部304は、ジョブ管理部307から受信した印刷ジョブを解析し、書誌情報を抽出する。そして、データ管理部304は、記憶制御部305に印刷ジョブ及び抽出した書誌情報を送信する。
[S705]  記憶制御部305は受信した印刷ジョブをＨＤＤに保存し、
[S706]  抽出した書誌情報をユーザーに紐づけてＨＤＤ205内の書誌情報テーブル801に保存する。
【００２９】
図８は書誌情報テーブル801の一例を示す図である。受信した印刷ジョブのユーザーがUserAである場合、UserAの書誌情報テーブルに書誌情報を保存する。画像形成装置102が印刷ジョブを受信した日時802、印刷ジョブを受信した画像形成装置のIPアドレス803、印刷ジョブの格納場所804、印刷ジョブ名805、印刷設定806、印刷許可するユーザーを識別するための印刷許可情報807からなる。
−−S704、S705，S706の処理が成功しなかった場合は、処理を終了する。
−−S704、S705，S706の処理が全て成功した場合は、S707に進む。
[S707]  データ管理部304は書誌情報の保存が完了後、認証部303にユーザー情報を送信する。認証部303は受信したユーザー情報をジョブ保持ユーザーテーブルに登録する。なお、S707の詳細は後述する。
以上の処理により、印刷ジョブの保存処理が行われる。
【００３０】
図９は、画像形成装置102のＣＰＵ202により実行される、システムソフトウェア301における、S707におけるユーザー情報のジョブ保持ユーザーテーブルへの登録処理を説明するフローチャートである。
[S901]  データ管理部304は、認証部303に印刷ジョブに含まれるユーザー情報を送信する。認証部303は受信したユーザー情報をＨＤＤ205のジョブ保持ユーザーテーブルに保存する。
【００３１】
図１０はジョブ保持ユーザーテーブル1001の一例を示す図である。ユーザー名1002、ユーザーが所属するドメインのドメイン名1003、複数のユーザーをグルーピングするためのグループID 1004からなる。図１０の例では、ユーザー名：UserAのドメイン名は、Domain1で、グループIDが1111であるレコードを示している。
[S902]  次いでデータ管理部304は、印刷ジョブの印刷許可情報を解析し、共有の設定があるか否かを判定する。
−−共有の設定がある場合は、S903に進む。
−−共有の設定がない場合は処理を終了する。
[S903]  「共有」を1つのユーザーとして、認証部303にユーザー情報を送信する。認証部303は受信したユーザー情報をＨＤＤ205のジョブ保持ユーザーテーブルに保存する。
以上の処理により、ユーザー情報のジョブ保持ユーザーテーブルへの登録処理が行われる。
【００３２】
図１１は、画像形成装置102のＣＰＵ202により実行される、システムソフトウェア301における、ユーザー一覧表示の処理を説明するフローチャートである。
[S1101]  まず、認証部303は、ＨＤＤ205からジョブ保持ユーザーテーブルに登録されたユーザーを取得する。
[S1102]  そして、登録ユーザーが存在するか否かを判定する。
−−登録ユーザーが存在しない場合、処理を終了する。
−−登録ユーザーが存在する場合は、S1103に進む。
[S1103]   ユーザー一覧の情報はUI制御部302を経由して操作部207に表示し、処理を終了する。
【００３３】
図１２はユーザー一覧画面の一例を示す図である。
(A)はUserAの印刷ジョブが投入後に、操作部207に表示されるユーザー一覧の画面1201である。本実施例では印刷ジョブを投入したユーザーのボタンが表示される形態となっているが、ユーザーを識別し、選択できる方法であればこれに限定されるものではない。また、ユーザーのボタンには、パスワードの設定や表示名の変更を行うことが可能である。
(B)はUserAが共有の設定をした印刷ジョブを投入後に、操作部207に表示されるユーザー一覧の画面1201である。UserAのボタン1202と共有ユーザーのボタン1203が表示される。これにより、UserA以外のユーザーであっても共有ユーザーのボタン1203でログインすることで印刷ジョブの実行が可能となる。
以上の処理によりユーザー一覧表示処理が行われる。
【００３４】
[実施例２]
実施例１では、投入された印刷ジョブが誰でも印刷可能である共有文書の設定が施されている場合について説明した。
本実施例では、特定のユーザーに対して印刷許可を与えた設定が施されていた印刷ジョブが投入された場合のユーザー一覧表示方法について説明する。実施例１における図１から図８、および図１０から図１１の構成および処理は、本実施例と同一であるため省略する。
【００３５】
図１３は、画像形成装置102のＣＰＵ202により実行される、システムソフトウェア301における、S707におけるユーザー情報のジョブ保持ユーザーテーブル1001への登録処理を説明するフローチャートである。
【００３６】
[S1301]  データ管理部304は、認証部303にユーザー情報を送信する。認証部303は受信したユーザー情報をＨＤＤ205のジョブ保持ユーザーテーブル1001に保存する。
[S1302]  次いでデータ管理部304は、印刷ジョブの印刷許可情報を解析し、印刷許可ユーザーの設定があるか否かを判定する。
−−設定がない場合は、処理を終了する。
−−設定がある場合は、S1303に進む。
[S1303]  印刷許可ユーザーを検索する。ここでいう検索とは、管理される全てのユーザーが登録されているユーザーDB（不図示）から検索することをいう。例えば、同一グループIDに属するユーザーに印刷許可を与えるように設定された印刷ジョブである場合、設定されたグループIDに属するユーザーをユーザーDBから検索を行う。
[S1304]  検索の結果、該当するユーザーか否かを判定する。
−−該当するユーザーがない場合は、処理を終了する。
−−該当するユーザーがあった場合は、S1305に進む。
[S1305]  認証部303にユーザー情報を送信する。認証部303は受信したユーザー情報をＨＤＤ205のジョブ保持ユーザーテーブルに保存する。その後、S1303に戻り、次のユーザーの検索（グループIDが設定されている場合は、該グループIDに属する次のユーザーを検索）を行う。
【００３７】
図１４は本実施例におけるユーザー一覧画面の一例を示す図である。UserAがUserBとUserCを指名して印刷許可を与えた印刷ジョブを投入後に、操作部207に表示されるユーザー一覧の画面1401である。UserAのボタン1402とUserBのボタン1403、UserCのボタン1404が表示される。これにより、UserB、UserCはそれぞれのボタンでログインすることで印刷ジョブの実行が可能となる。
なお、UserAがグループIDを設定して印刷を許可し、該グループIDのグループのメンバーのメンバーがUserBとUserCであった場合も、同様に画面1401のようになる。
以上の処理により、ユーザー情報のジョブ保持ユーザーテーブルへの登録処理が行われる。
【００３８】
なお、上記実施例１，２の説明では、本発明における印刷ジョブ等が保存される記憶手段は、画像形成装置内に設けられているが、ＬＡＮなどのネットワークを介して、画像形成装置の外部に設けても良い。
【００３９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４０】
101  ＰＣ
102  画像形成装置
201  コントローラユニット
【図１】
2016162165.tif 000003
【図２】
2016162165.tif 000004
【図３】
2016162165.tif 000005
【図４】
2016162165.tif 000006
【図５】
2016162165.tif 000007
【図６】
2016162165.tif 000008
【図７】
2016162165.tif 000009
【図８】
2016162165.tif 000010
【図９】
2016162165.tif 000011
【図１０】
2016162165.tif 000012
【図１１】
2016162165.tif 000013
【図１２】
2016162165.tif 000014
【図１３】
2016162165.tif 000015
【図１４】
2016162165.tif 000016